(57)【要約】【課題】  背負いベルトの下部ベルトの接触によって児童の脇腹に痛みを感じさせることがなく、しかも取付金具の破れによる離脱を生じることがない背負いベルトの下部ベルト及びそれを備えたランドセルを提供する。【解決手段】  上部ベルト２０と下部ベルト１０によって構成されるランドセル１の背負いベルトの下部ベルト２０の一方側又は両側の縁部を縁部に沿って断面が円弧状に盛り上がったサイドガード１２を形成する。また、下部ベルト１０を途中で折り返して両端部側を重ね合わせ、さらに、重ね合わされた両端部近傍を一緒に折り返すことによって下部ベルト１０が二枚重ねとなった状態で空隙部１１を形成し、この空隙部１１にランドセル１の底部に固定されるダルマ鐶１９と連結する取付金具１７を取り付けたことを特徴とする。【選択図】  図１
0003124906.tif 000002
【実用新案登録請求の範囲】
【請求項１】
上部ベルトと下部ベルトによって構成されるランドセルの背負いベルトの下部ベルトにおいて、
前記下部ベルトの一方側又は両側の縁部を当該縁部に沿って断面が円弧状に盛り上がったサイドガードが形成されていることを特徴とするランドセルの背負いベルトの下部ベルト。
【請求項２】
上部ベルトと下部ベルトによって構成されるランドセルの背負いベルトの下部ベルトにおいて、
前記下部ベルトの一方側又は両側の縁部に沿って円弧状の断面を有する弾性部材を内装し、それによってクッション性を有するサイドガードを形成することにより使用者の体との接触を緩和するようにしたことを特徴とするランドセルの背負いベルト。
【請求項３】
上部ベルトと下部ベルトによって構成されるランドセルの背負いベルトの下部ベルトにおいて、
前記下部ベルトを途中で折り返して両端部側を重ね合わせ、さらに、重ね合わされた両端部近傍を一緒に折り返すことによって当該下部ベルトが二枚重ねとなった状態で空隙部を形成し、当該空隙部に前記ランドセルの底部に固定されるダルマ鐶と連結する取付金具を取り付けたことを特徴とするランドセルの背負いベルト。
【請求項４】
上部ベルトと下部ベルトによって構成されるランドセルの背負いベルトの下部ベルトにおいて、
一部材からなる芯材の周囲を皮革部材で覆って形成される前記下部ベルトを途中で折り返して両端部側を重ね合わせ、さらに、重ね合わされた両端部近傍を一緒に折り返すことによって当該下部ベルトが二枚重ねとなった状態で空隙部を形成し、当該空隙部に前記ランドセルの底部に固定されるダルマ鐶と連結する取付金具を取り付けたことを特徴とするランドセルの背負いベルト。
【請求項５】
請求項３又は４に記載のランドセルの背負いベルトの下部ベルトにおいて、
前記下部ベルトの両端部側を重ね合わせる際の折り返しは、当該下部ベルトの中央部からやや偏心した位置で折り返すことを特徴とするランドセルの背負いベルト。
【請求項６】
請求項１〜５のいずれか１項に記載のランドセルの背負いベルトの下部ベルトを備えたランドセル。
【考案の詳細な説明】
【技術分野】
【０００１】
本考案は、背負いベルトの下部ベルト及びそれを備えたランドセルに関し、さらに詳しくは、丈夫でしかも使用者である児童の体に優しくフィットする背負いベルトの下部ベルト及びそれを備えたランドセルに関する。
【背景技術】
【０００２】
ランドセルは、左右一対の背負いベルトを備えており、この背負いベルトは一般に上部ベルトと下部ベルトによって構成されている。上部ベルトは、一端がランドセル本体の背板上部に配置された背環に取り付けられると共に、他端は下部ベルトと着脱可能に連結されるようになっている。一方、下側ベルトは、一端が上部ベルトと着脱可能に連結されると共に、他端は取付金具を介してランドセル本体の底部に取り付けられるようになっている。
【０００３】
従来の上部ベルト及び下部ベルトは皮革部材をカットしたものが用いられていたため殆どが平板状とされていた。そのため、児童がランドセルを背負った状態において、背負いベルトの下部ベルトの角が脇腹の位置に当たるので、歩くごとに角ばった端縁部が脇腹に接触して痛みを感じさせることがあった。
そこで、そのような問題に対応して種々の提案がなされていた。
【０００４】
例えば、本願出願人は、児童の脇腹と接触する下部ベルトの所定箇所に筒状ベルト部を設けたことを特徴としたランドセルを提案した（特開平０８−２８９８１３号公報）。
また、背負いベルトの左右一対の上部ベルト及び左右一対の下部ベルトをそれぞれ内方又は外方に弯曲形成したランドセルが提案されている（特開２００３−２６５２１６号公報）。
さらに、所要の幅および長さを有する基端側半部の軸線と、その長手方向一側に連設した同じく所要の幅および長さを有する遊端側半部の軸線とが所要の角度をなす、湾曲した帯状の小紐本体の基端に、取付け金具を取り付けるとともに、遊端に尾錠を取り付けてなる背負いベルトも提案されている（特開２００５−４０４３７号公報）。
【０００５】
一方、上述したように、背負いベルトの下部ベルトは、一端が上部ベルトと着脱可能に連結されると共に、他端は取付金具を介してランドセル本体の底部に取り付けられているが、従来は、皮革部材を一度折り曲げて形成された空隙部に取付金具を配設した構造となっていた。
【０００６】
【特許文献１】特開平０８−２８９８１３号公報
【特許文献２】特開２００３−２６５２１６号公報
【特許文献３】特開２００５−４０４３７号公報
【考案の開示】
【考案が解決しようとする課題】
【０００７】
特許文献１の、背負いベルトにあっては、児童の体と接触する箇所に内部にクッション材を埋め込んだ断面略楕円状の筒状形状とした筒状ベルト部を設けることで児童の体との接触は緩和されたが、背負いベルトの厚みが気になるという問題があった。
また、特許文献２及び３の背負いベルトにあってはいずれもその形状を工夫することによって接触の緩和を図ってはいるが、体と接触する部分の背負いベルトの縁部については特に言及はされていない。
さらに、従来の背負いベルトの下部ベルトは単に皮革部材を一度折り曲げて形成された空隙部に取付金具を配設した構造となっていたため長年の使用によって取付金具と接触する革が摩擦で破れ、取付金具から分離してしまうという問題があった。そのため、下部ベルトの強度を上げるために硬性の皮革部材を使用した補強部材を設けることも考えられるが、強度の高い硬い皮革部材や補強部材を用いると児童の体とに接触した際に痛みを感じさせる可能性が高くなるという問題がある。
【０００８】
そこで、本願考案においては、背負いベルトの下部ベルトの接触によって使用者である児童の脇腹に痛みを感じさせることがなく、しかも取付金具の破れによる離脱を生じることがない背負いベルトの下部ベルト及びそれを備えたランドセルを提供することを目的とする。
【課題を解決するための手段】
【０００９】
上記課題を解決するために請求項１に記載の本考案は、上部ベルトと下部ベルトによって構成されるランドセルの背負いベルトの下部ベルトにおいて、下部ベルトの一方側又は両側の縁部を縁部に沿って断面が円弧状に盛り上がったサイドガードが形成されていることを特徴とする。
背負いベルトの下部ベルトの縁部をその長手方向に沿って断面が円弧状に盛り上ったサイドガードを設けることによりランドセルを背負った児童の脇腹には円弧状とされた下部ベルトの縁端部表面が接触することになり痛みを感じさせることがない。
【００１０】
上記課題を解決するために請求項２に記載の本考案は、上部ベルトと下部ベルトによって構成されるランドセルの背負いベルトの下部ベルトにおいて、下部ベルトの一方側又は両側の縁部に沿って円弧状の断面を有する弾性部材を内装し、それによってクッション性を有するサイドガードを形成することにより使用者の体との接触を緩和するようにしたことを特徴とする。
円弧状の断面を有する弾性部材を下部ベルトの縁部に沿って内装することによりクッション性を有するサイドガードを縁部に現出させる。加えて、内部に内装される弾性部材はクッション性を有しているので背負ったときに体と接触しても痛みを感じさせることはない。
【００１１】
上記課題を解決するために請求項３に記載の本考案は、上部ベルトと下部ベルトによって構成されるランドセルの背負いベルトの下部ベルトにおいて、下部ベルトを途中で折り返して両端部側を重ね合わせ、さらに、重ね合わされた両端部近傍を一緒に折り返すことによって下部ベルトが二枚重ねとなった状態で空隙部を形成し、この空隙部にランドセルの底部に固定されるダルマ鐶と連結する取付金具を取り付けたことを特徴とする。
まず下側ベルトを途中で折り返して両端部側が同じ方向に位置するように重ね合わせる。さらに、重ね合わされた両端部近傍を二枚一緒に折り返すことによって下部ベルトが二枚重ねとなった状態とし、二枚重ねとなった下部ベルトの所定箇所を縫着することによって空隙部を形成する。そして、この空隙部にランドセルの底部に固定されるダルマ鐶と連結する取付金具を取り付ける。
【００１２】
上記課題を解決するために請求項４に記載の本考案は、上部ベルトと下部ベルトによって構成されるランドセルの背負いベルトの下部ベルトにおいて、一部材からなる芯材の周囲を皮革部材で覆って形成される下部ベルトを途中で折り返して両端部側を重ね合わせ、さらに、重ね合わされた両端部近傍を一緒に折り返すことによって下部ベルトが二枚重ねとなった状態で空隙部を形成し、この空隙部にランドセルの底部に固定されるダルマ鐶と連結する取付金具を取り付けたことを特徴とする。
下部ベルトは一本の部材から形成される芯材に皮革部材を覆うようにして形成する。
【００１３】
上記課題を解決するために請求項５に記載の本考案は、請求項３又は４に記載のランドセルの背負いベルトの下部ベルトにおいて、下部ベルトの両端部側を重ね合わせる際の折り返しは、下部ベルトの中央部からやや偏心した位置で折り返すことを特徴とする。
空隙部は下部ベルトが二枚重ねとなった状態で形成されればよいので正しく２等分に折り返す必要はない。
【００１４】
上記課題を解決するために請求項６に記載の本考案は、請求項１〜５のいずれか１項に記載のランドセルの背負いベルトの下部ベルトを備えたランドセルを提供する。
【考案の効果】
【００１５】
本考案に係る背負いベルトの下部ベルト及びそれを備えたランドセルによれば、下部ベルトとランドセルを背負った児童の脇腹との接触が緩和され、児童に痛みを感じさせることを防止できるという効果がある。
また、本考案に係る背負いベルトの下部ベルト及びそれを備えたランドセルによれば、取付金具は二枚重ね構造とされた下部ベルトの空隙部に取り付けられるので摩擦にも強く容易に破れることがないという効果がある。
【考案を実施するための最良の形態】
【００１６】
本考案に係る背負いベルトの下部ベルト及びそれを備えたランドセルについて図面を参照しつつ以下詳細に説明する。図１は本考案に係る背負いベルトの下部ベルトの好ましい一実施形態の背面図、図１はその正面図、図３はその側面図である。
【００１７】
初めに、背負いベルトは、下部ベルト１０と上部ベルト２０によって構成されており、図示された下部ベルト１０には、概略的に、一方側の端部に取付金具１７が取り付けられると共に、反対側の端部には連結金具１３が取り付けられて形成されている。取付金具１７には、さらにダルマ鐶１９が可動可能に取り付けられている。ダルマ鐶１９は、図４に示すように、ランドセル１の底部に固定され、これによって下部ベルト１０がランドセル１に取り付けられるようになっている。
【００１８】
また、連結金具１３は、図４に示すように、一方側の端部がランドセル１の背板３の上部に配置された図示しない背環に取り付けられた上部ベルト２０と連結するための部材であり、上部ベルト２０の所定箇所に複数穿設された図示しない孔部を適宜選択して固定することにより背負いベルトの長さを調整できるようになっている。そして、下部ベルト１０には、連結された上部ベルト２０の先端側を挿入して保持するための止め環１６、１６が取り付けられていると共に、連結金具１３が直接児童の体に触れるのを防止するために連結金具１３の下側に耳片１５が配置されている。尚、この背負いベルトは２本で一対としてランドセル１に取り付けられるようになっている。
【００１９】
そして、下部ベルト１０の両縁部は長手方向に沿って断面が円弧状に盛り上がったサイドガード１２、１２が設けられており（図７参照）、ランドセル１を背負った児童の脇腹にはサイドガード１２、１２の表面が接触するようになっている。このため従来のようにランドセル１を背負った児童に痛みを感じさせることがない。サイドガード１２、１２の断面の円弧の直径は３〜６ｍｍ程度が好ましい。直径が小さすぎると痛みの緩和作用が小さく、また直径が大きすぎると製造し難いと共に見た目にも好ましくないからである。
【００２０】
サイドガード１２、１２は、例えば、後述する芯材３０を皮革部材で覆って形成される下部ベルト１０の縁部に沿ってクッション性を有する断面略円形状のチューブ部材４０（図８参照）を内装することによって形成することができる。チューブ部材４０としては、例えば、ゴムやウレタン等の衝撃緩和性能を有する素材により形成することが好ましい。尚、下部ベルト１０の縁部に沿ってクッション性を有する断面略円形状を形成できれば、チューブ部材４０は円筒状でも円柱状でもかまわない。また、チューブ部材４０は、その断面形状は円形状に限らず楕円形状や半円形状等であってもかまわない。但し、その円弧の直径（楕円の場合は長軸）は３〜６ｍｍ程度とするのが好ましい。サイドガード１２、１２は、下部ベルト１０の両縁部に設けるのが好ましいが、片側だけ設けることも可能である。
【００２１】
芯材３０の所定位置には複数の孔部３５、３５が穿設配置されており、芯材３０を折り返して下部ベルト１０を形成した際に止め具１８が挿通されるようになっている。尚、サイドガード１２、１２を両側に設けた下部ベルト１０であれば左右いずれの側の背負いベルトとしても利用することができるので好都合である。
【００２２】
一方、下部ベルト１０は、一部材からなる縦長の芯材３０の周囲を皮革部材で覆って形成されており、この下部ベルト１０を図５に示すように途中で折り返して両端部が同一方向になるように重ね合わせる。さらに、図６（ａ）に示すように、重ね合わされた両端部の近傍を一緒に折り返し、下部ベルト１０が二枚重ねとなった状態とし、この二枚重ねとなった下部ベルト１０の所定箇所（図６（ａ）（ｂ）の破線で示す縫着部３１）を縫着することによって空隙部１１を形成する。そして、空隙部１１にランドセル１の底部に固定されるダルマ鐶１９と連結する取付金具１７が取り付けられている。これにより、図３に最もよく示されているように、取付金具１７は二重に重ね合わされた下部ベルト１０によって形成される空隙部１１に取り付けられることになるので従来と比べ強度格段に向上し、摩擦によって容易に破れることが防止される。尚、重ね合わされた両端部近傍の折り返しは、図６（ａ）に示すような同一方向に折り返してもよいし、図６（ｂ）に示すように、それぞれ内側（すなわち互いに反対方向）に折り返してもよい。
【００２３】
ここで、下部ベルト１０の両端部側を重ね合わせる際の折り返しは、下部ベルト１０の中央部からやや偏心した位置で折り返すことができる。空隙部１１は下部ベルト１０が二枚重ねとなった部分によって形成されればよいので下部ベルト１０を正しく２等分に折り返す必要はないからである。
【００２４】
上述した下部ベルト１０を備えたランドセル１は、それを背負った児童の脇腹に無用な痛みを負わせることがなく、また、取付金具１７を取り付けるための空隙部１１が二枚重ねで形成されているので摩擦や衝撃荷重に対する耐久性が従来よりも大幅に改善されており長期間の使用に対しても十分に耐えうる性能を発揮する。
【図面の簡単な説明】
【００２５】
【図１】本考案に係る背負いベルトの下部ベルトの好ましい一実施形態の背面図である。
【図２】図１の下部ベルトの正面図である。
【図３】図１の下部ベルトの側面図である。
【図４】図１の下部ベルトを備えたランドセルの側面図である。
【図５】芯材を一度折り返した状態の斜視図である。
【図６】（ａ）は芯材の両端側を同一方向に折り返した状態を示す斜視図、（ｂ）は芯材の両端側をそれぞれ内側方向に折り返した状態を示す斜視図である。
【図７】図１の下部ベルトの断面図である。
【図８】チューブ部材の斜視図である。
【符号の説明】
【００２６】
１      ランドセル
１０      下部ベルト
１１      空隙部
１２      サイドガード
１３      連結金具
１５      耳片
１６      止め環
１７      取付金具
１８      止め具
１９      ダルマ鐶
２０      上部ベルト
３０      芯材
３１      縫着部
３５      孔部
４０      チューブ部材
【図１】
0003124906.tif 000003
【図２】
0003124906.tif 000004
【図３】
0003124906.tif 000005
【図４】
0003124906.tif 000006
【図５】
0003124906.tif 000007
【図６】
0003124906.tif 000008
【図７】
0003124906.tif 000009
【図８】
0003124906.tif 000010